(57)【特許請求の範囲】
【請求項１】
駅のプラットホームの床面から突出しないよう設置されるホーム設備の取付構造において、
プラットホームに設けた保持シャーシに前記ホーム設備を固定する構成とし、
前記保持シャーシは、両側壁板の下部間に底面板を固結したものであり、前記両側壁板に設けた取付脚部に螺合したボルトの締める高さを調節して水平レベルを出す水平レベル出し機構と、前記底面板に形成した中央部に向かい低くなる底溝とを有し、
前記底溝は排水および配線用空隙となり、該底溝には、排水孔と配線部材を通すための孔とを兼ねる逃げ孔が穿設され、
前記保持シャーシは、前記水平レベル出し機構により水平を保持してプラットホームの床面から掘設した取付溝内に埋設され、
前記ホーム設備は、支持ケースに固定されたユニット状態で前記保持シャーシ内に収納して固定手段で締着されることを特徴とするホーム設備の取付構造。
【発明の詳細な説明】
【技術分野】
【０００１】
本発明は、駅のプラットホームの床面から突出しないよう設置されるホーム設備の取付構造に関する。
【背景技術】
【０００２】
従来の技術としては、例えば特許文献１に示すようなものがある。  
すなわち、同特許文献１には、誘導用表示器を駅のプラットホームの床面から突出しないよう設置し、この誘導用表示器を設置面積の少ないものにし、設置する場合や交換する場合に掘り起こす面積が小さくなるようにした技術が開示されている。
【０００３】
【特許文献１】特開２００２−１７３０２９号公報
【発明の開示】
【発明が解決しようとする課題】
【０００４】
しかしながら、このような従来の技術では、面積が小さいとはいえ、保守や交換の度にプラットホームの床面を掘り返し、また元のように仕上げなければならず、工事のコストが嵩むばかりでなく、保守や交換に手間取って使用できない期間が長くなるという問題点があった。
【０００５】
本発明は、このような従来の技術が有する問題点に着目してなされたもので、保守や交換の際にプラットホームの床面を掘り返す必要がなく、作業を容易にすることができ、工事も簡単で速やかに原状に復することができるようにしたホーム設備の取付構造を提供することを目的としている。
【課題を解決するための手段】
【０００６】
かかる目的を達成するための本発明の要旨とするところは、次の項の発明に存する。
［１］駅のプラットホーム（Ｐ）の床面から突出しないよう設置されるホーム設備（Ａ）の取付構造（１０）において、
プラットホーム（Ｐ）に設けた保持シャーシ（２０）に前記ホーム設備（Ａ）を固定する構成とし、
前記保持シャーシ（２０）は、両側壁板（２１，２１）の下部間に底面板（２２）を固結したものであり、前記両側壁板（２１，２１）に設けた取付脚部（２３）に螺合したボルト（２６ａ）の締める高さを調節して水平レベルを出す水平レベル出し機構（２６）と、前記底面板（２２）に形成した中央部に向かい低くなる底溝（２７）とを有し、
前記底溝（２７）は排水および配線用空隙となり、該底溝（２７）には、排水孔と配線部材を通すための孔とを兼ねる逃げ孔（２８）が穿設され、
前記保持シャーシ（２０）は、前記水平レベル出し機構（２６）により水平を保持してプラットホーム（Ｐ）の床面から掘設した取付溝（１１）内に埋設され、
前記ホーム設備（Ａ）は、支持ケース（５０）に固定されたユニット（Ｕ）状態で前記保持シャーシ（２０）内に収納して固定手段（５１）で締着されることを特徴とするホーム設備（Ａ）の取付構造（１０）。
【００１０】
前記本発明は次のように作用する。  
列車の進行方向に沿って表示が流れるように点滅する列車近接表示灯等のホーム設備（Ａ）は、駅のプラットホーム（Ｐ）の列車側の端縁に添って床面から突出しないよう設置される。
【００１１】
そして、ホーム設備（Ａ）はプラットホーム（Ｐ）の床面より下に陥入して設けた保持シャーシ（２０）に固定して設置される。つまり、保持シャーシ（２０）は、プラットホーム（Ｐ）の床面から掘設した取付溝（１１）内に埋設され、ホーム設備（Ａ）は支持ケース（５０）に固定されたユニット（Ｕ）状態とされ、ユニット（Ｕ）で保持シャーシ（２０）内に収納して固定手段（５１）で締着される。
【００１２】
保持シャーシ（２０）はプラットホーム（Ｐ）の床面から掘設した取付溝（１１）内に埋設されるのであるが、固定する前に水平レベル出し機構（２６）により水平を保持してから固定される。
【００１３】
下面部に中央部に向かい低くなる底溝（２７）を有している保持シャーシ（２０）は、底溝（２７）が作る空隙に配線が通され、また水が浸入した場合に排水溝として機能する。
【００１４】
また、保持シャーシ（２０）の底溝（２７）に排水孔および、配線部材の逃げを兼ねる逃げ孔（２８）が穿設されているものでは、逃げ孔（２８）に配線を通し、また浸入した水が逃げ孔（２８）から下方に排水される。
【発明の効果】
【００１５】
本発明にかかるホーム設備の取付構造によれば、プラットホームに設けた保持シャーシに前記ホーム設備を固定する構成としたので、保守や交換の際にプラットホームの床面を掘り返す必要がなく、作業を容易にすることができ、工事も簡単で速やかに原状に復することができ、コストが嵩むことがない。ホーム設備を支持ケースに固定されたユニット状態としてあるので、挿脱がきわめて簡単になり、一層作業が容易である。
【００１６】
下面部に中央部に向かい低くなる底溝を有している保持シャーシとしたものは、配線等の設備の設置が容易となり、底溝に逃げ孔を穿設して、排水孔および、配線部材の逃げとすることができる。
【発明を実施するための最良の形態】
【００１７】
以下、図面に基づき本発明の好適な一の実施の形態を説明する。
各図は本発明の一の実施の形態を示している。  
図３〜図６に示すように、取付構造１０は、プラットホームＰの線路側の端縁に沿う内側に、列車の進行方向に沿って表示が流れるように点滅する列車近接表示灯等のホーム設備Ａを設置するためのものであり、ホーム設備Ａは駅のプラットホームＰの床面から突出しないよう設置される設備である。
【００１８】
プラットホームＰは、図５に示すように、表面層Ｐ１、中間層Ｐ２、基礎部分Ｐ３から構成されている。図６でわかるように、プラットホームＰ内には配線孔Ｐ４が上下に貫通形成され、図４でわかるように、配線孔Ｐ４を通して可撓管Ｐ５が中継盤１５から延ばされ表面層Ｐ１にわずかに頭を出す程度にして配設されている。
【００１９】
図１でわかるように、プラットホームＰの表面層Ｐ１に開口部を開設し、中間層Ｐ２にかけてプラットホームＰの床面から掘設した取付溝１１内に保持シャーシ２０が埋設されている。取付溝１１の底部に、基礎部分Ｐ３を基礎として中間層Ｐ２部分にモルタル層１２が敷設され、モルタル層１２の中央部には排水および配線用のボイド管１３が配設されている。
【００２０】
図１および図２でわかるように、保持シャーシ２０は、側壁板２１，２１の下部を底面板２２で固結して、取付脚部２３，２３が形成されている。側壁板２１，２１の上部には補強板２４，２４で支持された保持部２５，２５が設けられている。
【００２１】
取付脚部２３，２３には、取付脚部２３に螺合されたボルト２６ａにより水平レベル出し機構２６が構成されており、保持シャーシ２０は、水平レベル出し機構２６により水平を保持してプラットホームＰの床面から掘設した取付溝１１内に埋設されている。
【００２２】
保持シャーシ２０の底面板２２の下面部には、中央部に向かい低くなる底溝２７が形成されている。底溝２７は排水および、配線用空隙となる。
【００２３】
保持シャーシ２０の側壁板２１，２１と取付溝１１との間にはモルタル１２ａが充填され、保持部２５，２５と取付溝１１との間には目地セメント１２ｂが充填されている。これにより、保持シャーシ２０は取付溝１１内に水平を保ち正しい姿勢で設置されている。なお、図１０でわかるように、施工時には取付溝１１と保持シャーシ２０との間には仮固定板２９が介装される。
【００２４】
ホーム設備Ａは、支持ケース５０に固定されたユニットＵ状態で保持シャーシ２０内に収納してボルト５１ａとナット５１ｂによる固定手段５１で締着されるようになっている。ナット５１ｂは保持シャーシ２０の保持部２５側に固設されている。
【００２５】
支持ケース５０は、図１および図２でわかるように、ホーム設備Ａを収納できるよう側壁５２，５２と底壁５３による溝形断面をしており、上側部には、補強板５４，５４により補強された取付フランジ部５５，５５が形成されている。取付フランジ部５５，５５には、固定手段５１のボルト５１ａが挿通される。
【００２６】
図７および図８でわかるように、保持シャーシ２０の底溝２７には、排水孔および、配線部材の逃げを兼ねる逃げ孔２８が穿設されている。逃げ孔２８には、配線１６のコネクタ１７の逃げ穴としたり、外線ケーブル１８の挿通孔となる。外線ケーブル１８，１８…は一旦中継盤１５に接続してから多芯ケーブル１９で制御盤子器Ａ１に接続される。
【００２７】
次に作用を説明する。  
先ず、図９〜図１２により施工手順を説明する。  
図９では、取付溝１１が下部に基礎部分Ｐ３が布設された状態で形成され、取付溝１１中に保持シャーシ２０をセットする。取付脚部２３，２３を下にして基礎部分Ｐ３上に保持シャーシ２０を載置し、水平レベル出し機構２６のボルト２６ａを締め込んで保持シャーシ２０の水平と高さを調整して位置決めする。
【００２８】
そこで、図１０に示すように、仮固定板２９を取付溝１１と保持シャーシ２０の保持部２５との間に介装して仮に固定する。この状態で図１１に示すようにモルタル１２ａを充填すると保持シャーシ２０は高さと姿勢が安定して固定される。さらに、図１２に示すように保持シャーシ２０の保持部２５，２５と取付溝１１との間に目地セメント１２ｂを充填する。これにより、保持シャーシ２０は外周を全て固定され、十分な強度で取付溝１１内に設置される。
【００２９】
これにより、列車の進行方向に沿って表示が流れるように点滅する列車近接表示灯等のホーム設備Ａは、駅のプラットホームＰの列車側の端縁に添って床面から突出しないよう設置される。
【００３０】
ホーム設備ＡはプラットホームＰの床面より下に陥入して設けた保持シャーシ２０に固定して設置されている。つまり、保持シャーシ２０は、プラットホームＰの床面から掘設した取付溝１１内に埋設され、ホーム設備Ａは支持ケース５０に固定されたユニットＵ状態とされ、ユニットＵで保持シャーシ２０内に収納して固定手段５１で締着される。
【００３１】
保持シャーシ２０はプラットホームＰの床面から掘設した取付溝１１内に埋設されるのであるが、固定する前に水平レベル出し機構２６により水平を保持してから固定される。
【００３２】
下面部に中央部に向かい低くなる底溝２７を有している保持シャーシ２０は、底溝２７が作る空隙に配線が通され、また水が浸入した場合に排水溝として機能する。
【００３３】
また、保持シャーシ２０の底溝２７に排水孔および、配線部材の逃げを兼ねる逃げ孔２８が穿設されているものでは、逃げ孔２８に配線を通し、また浸入した水が逃げ孔２８から下方に排水される。
【図面の簡単な説明】
【００３４】
【図１】本発明の一の実施の形態に係るホーム設備の取付構造を示す横断面説明図である。
【図２】本発明の一の実施の形態に係るホーム設備の取付構造を示す横断面説明分解図である。
【図３】本発明の一の実施の形態に係るホーム設備の取付構造を示す取付状態斜視図である。
【図４】本発明の一の実施の形態に係るホーム設備の取付構造を示す取付状態正面説明図である。
【図５】本発明の一の実施の形態に係るホーム設備の取付構造を示す施工状態説明図である。
【図６】本発明の一の実施の形態に係るホーム設備の取付構造を示す正面説明図である。
【図７】本発明の一の実施の形態に係るホーム設備の取付構造を示す説明分解斜視図である。
【図８】本発明の一の実施の形態に係るホーム設備の取付構造を示す全体正面説明図である。
【図９】本発明の一の実施の形態に係るホーム設備の取付構造の施工手順の第１説明図である。
【図１０】本発明の一の実施の形態に係るホーム設備の取付構造の施工手順の第２説明図である。
【図１１】本発明の一の実施の形態に係るホーム設備の取付構造の施工手順の第３説明図である。
【図１２】本発明の一の実施の形態に係るホーム設備の取付構造の施工手順の第４説明図である。
【符号の説明】
【００３５】
Ａ…ホーム設備
Ａ１…制御盤子器
Ｐ…プラットホーム
Ｐ１…表面層
Ｐ２…中間層
Ｐ３…基礎部分
Ｐ４…配線孔
Ｐ５…可撓管
Ｕ…ユニット
１０…取付構造
１１…取付溝
１２…モルタル層
１２ａ…モルタル
１２ｂ…目地セメント
１３…ボイド管
１５…中継盤
１６…配線
１７…コネクタ
１８…外線ケーブル
１９…多芯ケーブル
２０…保持シャーシ
２１…側壁板
２２…底面板
２３…取付脚部
２４…補強板
２５…保持部
２６…水平レベル出し機構
２６ａ…ボルト
２７…底溝
２８…逃げ孔
２９…仮固定板
５０…支持ケース
５１…固定手段
５１ａ…ボルト
５１ｂ…ナット
５２…側壁
５３…底壁
５４…補強板
５５…取付フランジ部
【図１】
0004744287.tif 000002
【図２】
0004744287.tif 000003
【図３】
0004744287.tif 000004
【図４】
0004744287.tif 000005
【図５】
0004744287.tif 000006
【図６】
0004744287.tif 000007
【図７】
0004744287.tif 000008
【図８】
0004744287.tif 000009
【図９】
0004744287.tif 000010
【図１０】
0004744287.tif 000011
【図１１】
0004744287.tif 000012
【図１２】
0004744287.tif 000013